(57)【要約】【課題】  従来、トリガーポイントの存在を理解している者に限られ、しかも熟練を要し容易にトリガーポイントを見つけ処置することが困難で、痛みなどの症状があっても医師、鍼師、按摩、マッサージ、指圧師のいる施術所に出向かなければならず、自分では処置が容易に出来なかった。誰にでも簡単にトリガーポイントを見つけ処置が出来るように、１軸性の球体ローラーを設けたトリガーボールローラーを提供する。【解決手段】  中心部分に貫通した穴を設けた球体のローラー（１）とカバー（２）を棒状の軸（３）で固定する、トリガーボールローラーを特徴とする。【選択図】図１
2011115597.tif 000002
【特許請求の範囲】
【請求項１】
中心に貫通させた穴を設けた球体のローラー（１）とカバー（２）を、棒状の軸（３）で固定したトリガーボールローラー。
【請求項２】
カバー（２）の部分を小型軽量に変えて、バック等に入れて携帯しやすくしたトリガーボールローラー。
【請求項３】
カバー（２）の部分の持ち手を長く設け、背部など手の届かない所を処置しやすくしたトリガーボールローラー。
【発明の詳細な説明】
【技術分野】
【０００１】  本発明は、球体をした１軸性のローラーで、転がすように反復するだけで、誰にでも簡単にトリガーポイント（筋繊維の硬結）を見つけることが可能で、同時に処置も出来る、トリガーボールローラーに関するものである。
【背景技術】
【０００２】  従来のトリガーポイントの見つけ方、処置は容易ではなく、トリガーポイントを見つけるのはトリガーポイントの存在を理解している者に限られ、しかも熟練を要し、処置も医師による局所麻酔の注射、鍼師による刺鍼、按摩・マッサージ・指圧師によるマッサージや圧迫法があった。また電気療法等や、自分で行う押圧する器具、各種ボールを使った方法もあるが、誰にでも簡単にトリガーポイントを見つける事は困難で処置の仕方も容易ではなく効果が上げられなかった。
【発明の概要】
【発明が解決しようとする課題】
【０００３】  これは、次のような欠点があった。
従来のトリガーポイントの見つけ方や処置は、資格を持っている医師、鍼師、按摩、マッサージ、指圧師の誰もが出来るものではなく、トリガーポイントの存在を理解している医師、鍼師、按摩、マッサージ、指圧師に限られ、しかも熟練を要し、容易にトリガーポイントを見つけ処置することが困難だった。痛みなどの症状があっても自分でトリガーポイントを見つけ処置する事が困難で、トリガーポイントを理解している医師、鍼師、按摩、マッサージ、指圧師のいる施術所に出向かなければならず、自宅で自分で簡単に見つけ、処置出来るものではなかった。
本発明は、以上のような欠点をなくすためになされたものである。
【課題を解決するための手段】
【０００４】  中心部分に貫通した穴を設けた球体のローラー（１）とカバー（２）を棒状の軸（３）で固定する。ローラーを球体にすることにより、皮膚に触れる部分が限局される為、筋繊維上のトリガーポイントを的確に捉え、また球体がゆえに患部にやさしく触れることが出来る。１軸性の動きにより熟練した技術や力も要らず、筋繊維上で転がすように反復して動かすことが容易で、自分でもトリガーポイントを簡単に見つけ、見つけたトリガーポイントに反復を繰り返すことで処置し、同時に筋硬結を取り除き、鎮痛効果、筋を弛緩、マッサージ出来る事が特徴である。
本発明は、以上の構成よりなるトリガーボールローラーである。
【発明の効果】
【０００５】  トリガーポイントの存在を理解している医師、鍼師、按摩、マッサージ、指圧師に頼ることなく、熟練した技術、力も要らず、自分でも筋繊維上で転がすように反復するだけで、簡単にトリガーポイントを見つけ、見つけたトリガーポイントに反復を繰り返すことで処置し、同時に筋硬結を取り除き、鎮痛効果、筋を弛緩、マッサージが出来るトリガーボールローラーを提供できる。
【図面の簡単な説明】
【０００６】
【図１】本発明の側面から見た外観図
【図２】本発明の正面から見た外観図
【図３】本発明の実施形態を示す正面断面図
【図４】本発明の（２）の部分を変えた側面から見た外観図
【図５】本発明の（２）の部分を変えた側面から見た外観図
【発明を実施するための形態】
【０００７】  以下、木発明を実施するための最良の形態について説明する。
中心に貫通させた穴を設けた球体のローラー（１）とカバー（２）を、棒状の軸（３）で固定する。
本発明は、以上のような構造である。
これを使用するときは、器具を手指で軽く持ち、筋繊維上を転がすように反復してトリガーポイントを見つけ、見つけたトリガーポイントに反復を繰り返すことで処置をすればよい。
【符号の説明】
【０００８】  １  球体のローラー
２  カバー
３  棒状の軸
【図１】
2011115597.tif 000003
【図２】
2011115597.tif 000004
【図３】
2011115597.tif 000005
【図４】
2011115597.tif 000006
【図５】
2011115597.tif 000007
【手続補正書】
【提出日】平成23年2月21日(2011.2.21)
【手続補正１】
【補正対象書類名】明細書
【補正対象項目名】０００６
【補正方法】変更
【補正の内容】
【０００６】
【図１】本発明の側面から見た外観図
【図２】本発明の正面から見た外観図
【図３】本発明の実施形態を示す正面断面図
【図４】本発明の（２）の部分を変えた側面から見た外観図
【図５】本発明の（２）の部分を変えた側面から見た外観図
【図６】本発明の（１）（２）（３）の部分を既存の回転自在な球状の平付キャスターで代用した場合の上面から見た外観図。
【図７】本発明の（１）（２）（３）の部分を既存の回転自在な球状の平付キャスターで代用し、着脱可能な長い持ち手を付けた側面から見た外観図
【図８】本発明の（１）（２）（３）の部分を既存の回転自在な球状の平付キャスターで代用し、着脱可能な長い持ち手を付けた前面から見た外観図
【手続補正２】
【補正対象書類名】明細書
【補正対象項目名】０００８
【補正方法】変更
【補正の内容】
【０００８】１  球体のローラー
２  カバー
３  棒状の軸
４  回転自在な球状をしたキャスターの平付部分
５  着脱可能な長い持ち手
６  ネジ等の固定具
７  ナット
８  スプリングワッシャー
【手続補正３】
【補正対象書類名】特許請求の範囲
【補正対象項目名】全文
【補正方法】変更
【補正の内容】
【特許請求の範囲】
【請求項１】
中心に貫通させた穴を設けた球体のローラー（１）とカバー（２）を、棒状の軸（３）で固定したトリガーボールローラー。
【請求項２】
カバー（２）の部分を小型軽量に変えて、バック等に入れて携帯しやすくしたトリガーボールローラー。
【請求項３】
カバー（２）の部分の持ち手を長く設け、背部など手の届かない所を処置しやすくしたトリガーボールローラー。
【請求項４】
請求項３の持ち手の長く設けたトリガーボールローラーのローラー部分を、既存の回転自在な球状をした平付キャスター（４）で代用した場合。着脱可能な長い持ち手を平付キャスター（４）に装着する際、回転自在な平付キャスター（４）に設けられた４穴の前側２穴を使い、カバーに届く長さのネジ等（６）とナット（７）で固定する事で、回転自在なキャスターを１軸性に固定するとともに、着脱可能な長い持ち手（５）と同時に固定することが出来き、背部など手の届かない所を処置しやすくするためのものである。またネジ等を使うときスプリングワッシャー（８）を併用することでローラー使用時にネジとナットが弛んでしまうことを阻止することができる。
【手続補正４】
【補正対象書類名】図面
【補正対象項目名】図６
【補正方法】追加
【補正の内容】
【図６】
2011115597.tif 000008
【手続補正５】
【補正対象書類名】図面
【補正対象項目名】図７
【補正方法】追加
【補正の内容】
【図７】
2011115597.tif 000009
【手続補正６】
【補正対象書類名】図面
【補正対象項目名】図８
【補正方法】追加
【補正の内容】
【図８】
2011115597.tif 000010